(57)【要約】      （修正有）【課題】記憶容量が不足している状態においても、放送スケジュールに基づきユーザが録画を希望するコンテンツの録画を可能にする受信機を得る。【解決手段】録画部１２は、データ蓄積部１８に蓄積されたコンテンツを記憶する蓄積コンテンツ記憶部１６と、新規コンテンツの録画予約を受け付けると共に、蓄積コンテンツ記憶部１６の記憶残容量を確認する予約制御部１３と、予約制御部１３において、記憶残容量が不足していると判定された場合に、蓄積コンテンツ記憶部１６に記憶されているコンテンツの中から所定条件に合致した削除可能コンテンツを削除し、予約制御部１３が録画予約を受け付けた新規コンテンツを録画すると共に、録画した新規コンテンツを一定時間後に削除する録画スケジュールを作成する録画スケジュール作成部１７とを備える。【選択図】図１
2009260486.tif 000002
【特許請求の範囲】
【請求項１】
配信されたデジタル放送を受信してコンテンツを蓄積する蓄積部と、
前記蓄積部に蓄積された前記コンテンツを記憶すると共に、新規コンテンツの録画予約を行う録画部と、
前記録画部において記憶された前記コンテンツを再生するコンテンツ再生部とを備え、
前記録画部は、前記蓄積部に蓄積された前記コンテンツを記憶する蓄積コンテンツ記憶部と、
前記新規コンテンツの録画予約を受け付けると共に、前記蓄積コンテンツ記憶部の記憶残容量を確認する予約制御部と、
前記予約制御部において、前記記憶残容量が不足していると判定された場合に、前記蓄積コンテンツ記憶部に記憶されているコンテンツの中から所定条件に合致した削除可能コンテンツを削除し、前記予約制御部が録画予約を受け付けた前記新規コンテンツを録画すると共に、前記録画した新規コンテンツを一定時間後に削除する録画スケジュールを作成する録画スケジュール作成部とを備えたことを特徴とする受信機。
【請求項２】
コンテンツから番組情報を取得する番組情報取得部と、
前記番組情報を記憶する番組情報記憶部とを備え、
録画スケジュール生成部は、前記番組情報記憶部に記憶された前記番組情報を参照して蓄積コンテンツ記憶部に記憶されているコンテンツの中から再放送が予定されている削除可能コンテンツを検索および削除し、新規コンテンツを録画すると共に、前記録画した新規コンテンツを前記削除可能コンテンツの再放送前に削除し、前記削除可能コンテンツの再放送を録画する録画スケジュールを作成することを特徴とする請求項１記載の受信機。
【請求項３】
再放送が予定されている削除可能コンテンツが複数存在した場合に、前記削除可能コンテンツがそれぞれ有するコンテンツ属性を提示することを特徴とする請求項２記載の受信機。
【請求項４】
ネットワークを介してコンテンツをダウンロードするダウンロード部を備え、
録画スケジュール生成部は、蓄積コンテンツ記憶部に記憶されているコンテンツの中から前記ダウンロード部がダウンロードすることができるダウンロード可能コンテンツを検索及び削除し、新規コンテンツを録画すると共に、前記録画した新規コンテンツを前記ダウンロード可能コンテンツのダウンロード期限前に削除し、前記ダウンロード可能コンテンツをダウンロードする録画スケジュールを作成することを特徴とする請求項２記載の受信機。
【請求項５】
ネットワークを介してＶＯＤ（Ｖｉｄｅｏ  Ｏｎ  Ｄｅｍａｎｄ）によりコンテンツを受信するＶＯＤ受信部を備え、
録画スケジュール生成部は、前記蓄積コンテンツ記憶部に記憶されているコンテンツの中から前記ＶＯＤ受信部が受信することができる受信可能コンテンツを検索および削除し、新規コンテンツを録画する録画スケジュールを作成することを特徴とする請求項２記載の受信機。
【発明の詳細な説明】
【技術分野】
【０００１】
この発明は、放送を受信して音声や映像などを録画および再生する受信機に関するものである。
【背景技術】
【０００２】
近年ＨＤＤ（Ｈａｒｄ  Ｄｉｓｋ  Ｄｒｉｖｅ）、ＤＶＤ（Ｄｉｇｉｔａｌ  Ｖｅｒｓａｔｉｌｅ  Ｄｉｓｋ）などの記録媒体の記録容量が向上し、音声や映像などの情報を記録し再生する受信機が普及している。その一方で、放送方式として、地上デジタル放送、衛星デジタル放送、あるいはＩＰネットワーク経由による放送、ＶＯＤ（Ｖｉｄｅｏ  Ｏｎ  Ｄｅｍａｎｄ）サービス、ダウンロードサービスなど種々のコンテンツ提供方式が実現化されている。これらの放送方式により提供されたコンテンツを受信する受信機として記録機能を備えたものが多々存在する。その中で、大容量の記録媒体の能力を活用して電子番組表（Ｅｌｅｃｔｒｏｎｉｃ  Ｐｒｏｇｒａｍ  Ｇｕｉｄｅ：ＥＰＧ）からユーザの所望のコンテンツを自動的に検索し、録画する機能が用いられている。
【０００３】
しかし、大容量の記録媒体であっても、既に録画された番組によって記録可能容量が不足すれば予約されたコンテンツを録画することができず、このような場合には新規に番組を録画するために蓄積されているコンテンツを消去して容量を確保する必要がある。この対策として、特許文献１には蓄積されたコンテンツに対してユーザがあらかじめ保存優先順位を定めておき、その保存優先順位に従って蓄積されたコンテンツの消去作業を自動的に行う方法が開示されている。
【０００４】
【特許文献１】特開２００６−３２３８９６号公報
【発明の開示】
【発明が解決しようとする課題】
【０００５】
しかしながら、特許文献１に開示された受信機は、ユーザが設定した保存優先順位に従って消去作業を行うため、保存優先順位が低位のものであっても、ユーザが本来ならば保存を希望するコンテンツを削除してしまうという課題があった。さらに、録画予約をしているコンテンツよりも、自動削除の対象になっているコンテンツの保存優先順位が高いことにユーザが気づかずに録画予約を完了させてしまう場合にも誤ったコンテンツを削除してしまうという課題があった。
【０００６】
この発明は上記のような課題を解決するためになされたもので、記憶容量が不足している状態においてさらに録画を希望するコンテンツが存在する場合に、放送スケジュールに基づき視聴機会を失わないように効率的なコンテンツの録画を可能とする受信機を得る。
【課題を解決するための手段】
【０００７】
この発明に係る受信機は、配信されたデジタル放送を受信してコンテンツを蓄積する蓄積部と、前記蓄積部に蓄積された前記コンテンツを記憶すると共に、新規コンテンツの録画予約を行う録画部と、前記録画部において記憶された前記コンテンツを再生するコンテンツ再生部とを備え、前記録画部は、前記蓄積部に蓄積された前記コンテンツを記憶する蓄積コンテンツ記憶部と、前記新規コンテンツの録画予約を受け付けると共に、前記蓄積コンテンツ記憶部の記憶残容量を確認する予約制御部と、前記予約制御部において、前記記憶残容量が不足していると判定された場合に、前記蓄積コンテンツ記憶部に記憶されているコンテンツの中から所定条件に合致した削除可能コンテンツを削除し、前記予約制御部が録画予約を受け付けた前記新規コンテンツを録画すると共に、前記録画した新規コンテンツを一定時間後に削除する録画スケジュールを作成する録画スケジュール作成部とを備えるものである。
【発明の効果】
【０００８】
この発明によれば、蓄積部に蓄積されたコンテンツを記憶する蓄積コンテンツ記憶部と、新規コンテンツの録画予約を受け付けると共に、蓄積コンテンツ記憶部の記憶残容量を確認する予約制御部と、予約制御部において、記憶残容量が不足していると判定された場合に、蓄積コンテンツ記憶部に記憶されているコンテンツの中から所定条件に合致した削除可能コンテンツを削除し、予約制御部が録画予約を受け付けた新規コンテンツを録画すると共に、録画した新規コンテンツを一定時間後に削除する録画スケジュールを作成する録画スケジュール作成部とを有する録画部を備えるように構成したので、蓄積コンテンツ記憶部の記憶残容量が不足している状態であってもユーザが録画を希望するコンテンツの録画を実行することができ、効率的なコンテンツ録画が可能となる。
【発明を実施するための最良の形態】
【０００９】
実施の形態１．
図１は、この発明の実施の形態１に係る受信機の構成を示すブロック図である。図２は、この発明の実施の形態１に係る受信機のコンテンツ再生部の構成を示すブロック図である。
この実施の形態１に係る受信機１は、デジタル放送波を受信するアンテナ２、選択されているチャンネルのデジタル放送波を出力するチューナ部３、アナログ信号をデジタル信号に変換するＡＤ変換部４、デジタル信号を復調する復調部５、誤り訂正と誤り検出を行う誤り訂正処理部６、ＴＳデータを暗号化および復号化する暗号復号部７、ＴＳデータを映像、音声およびＳＩ（Ｓｐｅｃｉｆｉｃ  Ｉｎｆｏｒｍａｔｉｏｎ：番組情報）に分離するメディア分離部８、映像および音声データを復号および再生するコンテンツ再生部９、番組情報が入力される番組情報取得部１０、番組情報を記録する番組情報データ記憶部１１、番組の録画予約および録画を実行する録画部１２、データを蓄積するデータ蓄積部（蓄積部）１８、データを読み込むデータ読込部１９で構成されている。
【００１０】
コンテンツ再生部９は、音声データを復号する音声復号化部９１、復号された音声データを再生する音声出力部９２、映像データを復号する映像復号化部９３、復号された映像データを再生する映像表示部９４で構成されている。また、録画部１２は、録画予約動作を制御する予約制御部１３、予約一覧画面を作成する予約ＧＵＩ１４、録画予約情報を記憶する録画予約情報記憶部１５、蓄積コンテンツとその属性情報を記録する蓄積コンテンツ記憶部１６、録画スケジュールを生成する録画スケジュール生成部１７で構成されている。なお、蓄積コンテンツは、例えばＭＰＥＧ−２ＴＳ形式で保存されるものとし、必要に応じて受信機１内で暗号化して録画するように構成してもよい。
【００１１】
次に、受信機１の受信動作について説明する。アンテナ２で受信された放送波はチューナ部３に入力され、チューナ部３は選択されているチャンネルの放送波をＡＤ変換部４に出力する。ＡＤ変換部４は、入力されたデジタル放送波のアナログ信号をデジタル信号に変換して復調部５に出力する。復調部５は、ＱＰＳＫ（Ｑｕａｄｒａｔｕｒｅ Ｐｈａｓｅ Ｓｈｉｆｔ Ｋｅｙｉｎｇ：４相位相変調方式）、１６ＱＡＭ（１６  Ｑｕａｄｒａｔｕｒｅ  Ａｍｐｌｉｔｕｄｅ  Ｍｏｄｕｌａｔｉｏｎ）、６４ＱＡＭの復調または復号、ＴＭＣＣ（Ｔｒａｎｓｍｉｓｓｉｏｎ ａｎｄ  Ｍｕｌｔｉｐｌｅｘｉｎｇ  Ｃｏｎｆｉｇｕｒａｔｉｏｎ  Ｃｏｎｔｒｏｌ）信号の復号、デインタリーブ処理を行いＴＳストリームに変換して誤り訂正処理部６に出力する。
【００１２】
誤り訂正処理部６は、入力されたＴＳストリームにリードソロモン復号を行うと共に、誤り訂正および誤り検出を行い、暗号復号部７に出力する。暗号復号部７は、ＴＳストリームの暗号部分を復号化し、メディア分離部８に出力する。メディア分離部８は、ＴＳストリームから音声データ、映像データ、セクション中のＳＩを分離し、分離した音声データおよび映像データをコンテンツ再生部９に出力し、ＳＩを番組情報取得部１０に出力する。
【００１３】
コンテンツ再生部９に入力された音声データは音声復号化部９１において復号され、さらに音声出力部９２において再生されて外部装置であるスピーカ１００から音声として出力される。また、コンテンツ再生部９に入力された映像データは、映像復号化部９３において復号され、さらに映像表示部９４において再生されて外部装置であるモニタ１０１に映像として表示される。一方、番組情報取得部１０に入力されたＳＩは、番組情報データ記憶部１１に記憶される。
【００１４】
次に、この発明の実施の形態１に係る受信機の録画処理動作について説明し、以下では、録画予約動作と録画動作に分けて説明する。
まず、録画予約動作について説明する。録画予約時に用いられる情報について図３から図６を参照して説明する。図３は、この発明の実施の形態１に係る受信機の予約ＧＵＩ１４が生成する予約一覧表の一例を示す図である。
予約一覧表は、予約番号２０１、チャンネル２０２、録画コンテンツ名２０３、予約コンテンツの録画が実行される日付２０４、録画の開始時刻２０５、録画の終了時刻２０６、自動削除２０７、再録画を表示する再録画２０８を示す各欄で構成される。このうち自動削除２０７には、あるコンテンツを録画する前に蓄積済みのコンテンツの中から自動削除されるコンテンツ名が表示される。再録画２０８には、自動削除の対象となったコンテンツの再放送であることを示すマークが表示される。
【００１５】
図４は、この発明の実施の形態１に係る受信機の蓄積コンテンツ記憶部に記憶される属性情報の一例を示す図である。この属性情報は、蓄積コンテンツのファイルを識別する識別子である蓄積ＩＤ３０１、番組名３０２、ジャンル３０３、データ容量３０４を示す各欄で構成される。
【００１６】
図５は、この発明の実施の形態１に係る受信機の番組情報データ記憶部に記憶される番組情報の一例を示す図である。この番組情報は、放送ＩＤ４０１、チャンネル４０２、番組名４０３、ジャンル４０４、番組記述４０５、日付４０６、放送の開始時刻４０７、再生時間４０８、ビットレート４０９、映像コンポーネント４１０、音声コンポーネント４１１を示す各欄で構成される。
【００１７】
図６は、この発明の実施の形態１に係る受信機の録画予約情報記憶部に記憶される録画予約情報の一例を示す図である。録画予約情報は、予約番号５０１、チャンネル５０２、録画コンテンツ名５０３、日付５０４、録画の開始時刻５０５、録画の終了時刻５０６、容量５０７、蓄積ＩＤ５０８、再録画５０９を示す各欄で構成される。このうち容量５０７に示される録画コンテンツの容量は、番組情報の再生時間４０８とビットレート４０９から算出される。また、蓄積ＩＤ５０８は、コンテンツの自動削除を行う際に削除対象となる蓄積コンテンツを検出するために使用される。さらに、再録画５０９は新規に録画する場合は「０」、自動削除した蓄積コンテンツの再放送を録画する場合は「１」を表示するように管理する。この再録画５０９で「１」と表示されるコンテンツについては、予約ＧＵＩ１４が作成する予約一覧表（図３参照）の再録画２０８に所定のマークが表示される。
【００１８】
ユーザがリモコン（図示せず）などを用いて予約用モードに切り替える指示を入力すると、この指示を予約制御部１３が受信し、予約ＧＵＩ１４に対して番組情報データ記憶部１１に記憶された番組情報（図５参照）をモニタ１０１に出力するように指示する。ユーザがモニタ１０１に出力された番組情報から録画を希望する番組を指定すると、その指定情報を予約ＧＵＩ１４が受信し、予約ＧＵＩ１４は録画予約情報（図６参照）を出力する。出力された録画予約情報は、予約制御部１３を経由して録画予約情報記憶部１５に保存される。次に、予約制御部１３は、録画予約情報記憶部１５に保存されている録画予約情報の新規録画予約分の容量と蓄積コンテンツ記憶部１６の残容量を照合し、新規録画予約された番組を保存するのに十分な容量があるか否か確認する。
【００１９】
図３に示した予約一覧表の例では、予約番号１の「ドキュメンタリ１」と予約番号２の「バラエティ１」の録画予約が行われ、この録画予約の時点では予約番号２０１、チャンネル２０２、録画コンテンツ名２０３、日付２０４、開始時刻２０５、終了時刻２０６の欄が埋まっている。予約制御部１３は、予約番号１の「ドキュメンタリ１」と予約番号２の「バラエティ１」を録画するのに十分な容量が蓄積コンテンツ記憶部１６に残されているか否か確認する。
【００２０】
蓄積コンテンツ記憶部１６の残容量が十分ある場合には、予約が完了する。一方、蓄積コンテンツ記憶部１６の残容量が十分でなかった場合には、予約制御部１３は、録画スケジュール生成部１７に蓄積コンテンツに対応する再放送の有無を検索し、自動削除を含めた録画スケジュールを生成するように指示する。図３に示した予約一覧表の例において、予約番号１の「ドキュメンタリ１」を録画する容量は存在したが、予約番号２の「バラエティ１」を録画する容量が足りなかったものとする。
【００２１】
録画スケジュール生成部１７は、蓄積コンテンツ記憶部１６に記憶されている蓄積コンテンツの属性情報と番組情報データ記憶部１１に記憶されている番組情報との、番組名（３０２と４０３）およびジャンル（３０３と４０４）を比較し、一致するものが存在するか否かを検索する。なお、検索する場合の属性情報と番組情報の番組名の比較には、文字数が一定の割合以上一致した場合、あるいは、再放送時に番組タイトルに追加される可能性のある文字（例えば、「（再）」等）を除外したものが一致した場合などを有効な扱いとする。また、同一コンテンツであるか否かの判定方法は上記方法に限定されるものではなく、コンテンツが同一であると判断できれば他の方法でもよい。なお、ジャンル情報とは、コンテンツが属しているカテゴリを示すものであり、例としてはスポーツ、ニュース、ドラマ等があり、スポーツはさらに野球、陸上等に分類される。これはＡＲＩＢ ＴＲ−Ｂ１５で規定されている。
【００２２】
番組名とジャンルが一致した場合、その番組のコンテンツ内容を示す番組記述４０５をユーザに提示し、蓄積コンテンツと同一内容の番組が存在するか入力を求める。同一内容の番組が存在する場合、蓄積コンテンツの再放送であると判断し、蓄積コンテンツを自動削除して再放送時に再度録画する録画スケジュールを作成する。この処理を全ての蓄積コンテンツに対して実行する。録画スケジュール生成部１７により作成された全ての録画スケジュールを、予約制御部１３および予約ＧＵＩ１４を経由してモニタ１０１に出力する。ユーザは、モニタ１０１に表示された録画スケジュールの中から適切な録画スケジュールを選択し、録画予約を完成させる。このユーザが選択した録画予約情報は、予約ＧＵＩ１４および予約制御部１３を経由して録画予約情報記憶部１５に記憶される。
【００２３】
図３に示した予約一覧表の例では、蓄積コンテンツ１６に既に録画されている「ドラマ１」の再放送が「バラエティ１」の放送後であり、さらに「ドラマ１」の容量が「バラエティ１」の容量よりも大きいものとし、この場合には「ドラマ１」が自動削除の対象となる。これらに基づき録画スケジュール作成部１７がコンテンツ削除および録画のスケジュールを作成し、図３に示す予約一覧表が予約ＧＵＩ１４により表示される。
【００２４】
次に、上述した録画予約動作において、自動削除対象となるコンテンツの抽出処理を中心に図７のフローチャートを参照して説明する。なお、上述した録画予約処理内容と同一の処理については説明を省略または簡略化する。
受信機１がユーザから新たな番組予約を受け付けると（ステップＳＴ１）、予約制御部１３は録画予約情報の新規録画予約分の容量と蓄積コンテンツ記憶部１６の残容量を照合し、新規に予約する番組を保存するための十分な容量があるか否か判定する（ステップＳＴ２）。ステップＳＴ２において、新規に予約する番組を保存するための十分な容量があると判定された場合には、ステップＳＴ１１に進み予約を完了する。
【００２５】
一方、ステップＳＴ２において、十分な容量がないと判定された場合には、録画スケジュール作成部１７が近日中に蓄積コンテンツ記憶部１６に既に記憶された蓄積コンテンツの再放送があるか否か判定する（ステップＳＴ３）。ここで、現在の日付から何日先までを判定対象とするかは、受信機１固有の値、放送局が提供する期日の最大上限、ユーザ設定など任意のものとする。ステップＳＴ３において、再放送がないと判定された場合にはステップＳＴ５の処理に進む。一方、ステップＳＴ３において、再放送があると判定された場合には、その再放送がある蓄積コンテンツを全て自動削除候補として列挙する（ステップＳＴ４）。再放送の有無の検索を全ての蓄積コンテンツについて行う（ステップＳＴ５）。
【００２６】
録画スケジュール生成部１７は、自動削除候補に挙げられた蓄積コンテンツの中から、新規録画予約に必要な容量を確保できる組み合わせを作成し、これに基づき自動削除を含めた録画予約のスケジューリングを実行し（ステップＳＴ６）、スケジューリング可能か否か判定する（ステップＳＴ７）。ステップＳＴ７において、スケジューリング可能であると判定された場合には、その録画スケジューリング候補をモニタ１０１に出力する（ステップＳＴ８）。さらに、録画スケジューリング候補が複数存在するか否か判定し（ステップＳＴ９）、録画スケジューリング候補が複数存在した場合にはモニタ１０１に出力された内容に対してユーザが確定動作を行うことにより録画予約が確定し（ステップＳＴ１０）、録画予約が完了する（ステップＳＴ１１）。また、録画スケジューリング候補が複数存在しない場合には、ユーザが確定動作を行うことなく録画予約が完了する（ステップＳＴ１１）。
【００２７】
上述のステップＳＴ１０において、一つの蓄積コンテンツに対する再放送が複数あった場合、コンテンツ属性の違いを提示してユーザに選択を求めるように構成し、よりユーザが望むコンテンツの蓄積を行うことも可能である。ここで、コンテンツ属性とは、放送日、解像度、あるいはオーディオ種別等を言い、放送時刻、映像コンポーネント、あるいは音声コンポーネントとして提供される。ここで映像コンポーネントには、解像度、アスペクト比等の情報が含まれており、音声コンポーネントにはステレオ、モノラル、サラウンド、モード等の情報が含まれている。これらは、ＡＲＩＢ ＳＴＤ−Ｂ１０で規定されている。
【００２８】
一方、ステップＳＴ７において、スケジューリングか可能でないと判定された場合、例えば自動削除候補に挙げられた蓄積コンテンツから新規録画予約に必要な容量を確保できる組み合わせを作成することができなかった場合や、全ての蓄積コンテンツについて再放送がなかった場合には、スケジューリングは行わずにステップＳＴ１１の処理に進み録画予約のみを行う。この場合には録画予約時にメッセージ、例えば「ＨＤＤの残容量が足りません。また、ＨＤＤ内に再放送予定のあるコンテンツはありません。録画実施時刻までに容量を確保して下さい。」などをモニタ１０１に出力し、容量を確保するようにユーザに促す。
【００２９】
次に、この発明の実施の形態１に係る受信機の録画動作について説明する。
予約制御部１３は、録画予約情報記憶部１５に記憶されている録画予約情報の中から現在時刻に最も近い録画予約情報を取り出す。例えば受信機１の電源がオフの場合でも、一部の機能、少なくとも予約制御部１３は稼動しているものとする。録画予約情報に基づき指定された予約時間の開始時刻の数秒前に達したときに予約制御部１３が受信機１の電源をオンにし、チューナ部３に対して録画チャンネルに切り替える指示を出力し、録画開始コマンドをデータ蓄積部１８に出力する。
【００３０】
データ蓄積部１８は予約制御部１３から入力される指示に基づき、暗号復号部７を経由して入力される放送局から受信したデータを蓄積コンテンツ記憶部１６に記憶させる。指定された予約時間の終了時刻に達したときには、予約制御部１３が録画予約情報に基づき録画終了コマンドをデータ蓄積部１８に出力し、データ蓄積部１８は録画を終了する。
【００３１】
現在時刻に最も近い録画予約情報に、録画容量の確保のために蓄積コンテンツの削除を行うようスケジュールされている場合は、予約制御部１３が録画開始コマンドをデータ蓄積部１８に出力する前に、蓄積コンテンツの削除コマンドを蓄積コンテンツ記憶部１６に出力する。図３に示した予約一覧表の例では、予約制御部１３が予約番号２の「バラエティ１」の録画開始前に「ドラマ１」の削除を行うよう蓄積コンテンツ記憶部１６に指示を出力する。
【００３２】
上述のように録画開始前に蓄積コンテンツの自動削除を行った場合には、録画が終了した際に、予約制御部１３は予約ＧＵＩ１４を介して、自動削除の対象となったコンテンツの再放送が行われる日程、およびその日程までに新規録画コンテンツを視聴するように促すメッセージをモニタ１０１に出力する。図８は、そのメッセージの一例を示している。メッセージには、新規録画コンテンツ（例えば、図３における予約番号２）の録画を行った日付６０１、録画した新規コンテンツの番組名６０２、およびその削除日６０３が表示される。
【００３３】
一方、自動削除されたコンテンツの再放送日時に到達した場合、上述した新規録画コンテンツを削除し、再放送されるコンテンツの録画を行う。図３に示した予約一覧表の例では、予約番号３の再録画２０８に自動削除されたコンテンツの再放送であることを意味するマークが表示されており、予約番号２の録画の際に削除されたコンテンツの再放送が予約番号３において再度録画される。なお、蓄積コンテンツ記憶部１６に記憶された蓄積コンテンツは、データ読込部１９が蓄積コンテンツ記憶部１６からデータを読み込み、メディア分離部８を介してコンテンツ再生部９に出力されることにより再生される。
【００３４】
なお、新規に予約した番組の再放送が複数ある場合、各放送番組の番組情報（図５参照）に基づき放送の開始時刻４０７、映像コンポーネント４１０および音声コンポーネント４１１をユーザに提示して選択を求めるように構成し、よりユーザが望む条件に合致したコンテンツの蓄積を行うようにしてもよい。
【００３５】
以上のように、この実施の形態１では、蓄積コンテンツの蓄積情報と番組情報データ記憶部１１に記憶されている番組情報を比較して再放送予定のあるコンテンツを検索する録画スケジュール生成部１７を設けるように構成したので、新規に録画を希望する番組の放送前に蓄積コンテンツを自動削除し、再放送日に自動削除した蓄積コンテンツを再度録画するスケジュールを生成することができ、記憶部の記憶残容量が十分でない場合にもユーザの希望するコンテンツの録画を行うことが可能となる。
【００３６】
また、この実施の形態１では、自動削除対象の蓄積コンテンツに対応する再放送が複数ある場合、または新規に予約する番組の再放送が複数ある場合に、コンテンツの属性または番組情報をユーザに提示して選択を求めるように構成したので、ユーザの希望条件に沿った録画予約を実行することができる。
【００３７】
実施の形態２．
図９は、この発明の実施の形態２に係る受信機の構成を示すブロック図である。この受信機１は、図１に示した受信機１にダウンロードコンテンツ取得部２０を追加して構成している。以下では、実施の形態１に係る受信機１の構成要素と同一または相当する部分には、実施の形態１で使用した符号と同一の符号を付して説明を省略または簡略化する。
【００３８】
受信機１は、ＩＰネットワーク１０２を経由してコンテンツをダウンロードするダウンロードコンテンツ取得部（ダウンロード部）２０を備える。ダウンロードコンテンツ取得部２０は、ダウンロード制御部（以下、ＤＬ制御部と称する）２１、ダウンロード情報記憶部（以下、ＤＬ情報記憶部と称する）２２、ダウンロード用ＧＵＩ（以下、ＤＬ用ＧＵＩと称する）２３およびコンテンツ受信部２４で構成されている。なお、ダウンロードコンテンツ取得部２０はＩＰネットワーク１０２からダウンロード情報とコンテンツを受信するが、ダウンロード情報とはダウンロード配信予定などの情報であり、コンテンツはダウンロードして得たコンテンツそのものである。コンテンツは、ＭＰＥＧ−２ＴＳ形式のファイルで取得するものとする。
【００３９】
ＤＬ制御部２１は、ＩＰネットワーク１０２を経由して定期的にサーバ（図示せず）にダウンロード情報を要求し、この要求に基づきＩＰネットワーク１０２を介して送信されたダウンロード情報をＤＬ情報記憶部２２に出力する。また、ＤＬ制御部２１は、ＤＬ用ＧＵＩ２３から入力されるコンテンツＵＲＬをコンテンツ受信部２４に出力する。ＤＬ情報記憶部２２は、ＤＬ制御部２１から出力されたダウンロード情報を記憶し、ＤＬ用ＧＵＩ２３に出力する。
【００４０】
ＤＬ用ＧＵＩ２３は、ＤＬ情報記憶部２２からダウンロード情報を取得してモニタ１０１に出力する。また、ユーザから入力されるコンテンツダウンロード指示を受信し、該当するコンテンツをダウンロードするためのコンテンツＵＲＬをダウンロード制御部２１に出力する。コンテンツ受信部２４は、ＤＬ制御部２１から入力されるコンテンツＵＲＬに基づき、ＩＰネットワーク１０２を経由してサーバから該当するコンテンツをダウンロードし、ダウンロードしたコンテンツを蓄積コンテンツ記憶部１６に記憶させる。
【００４１】
コンテンツのダウンロード処理は、まずＤＬ用ＧＵＩ２３がＤＬ情報記憶部２２に記憶されたダウンロード情報をモニタ１０１に出力する。モニタ１０１を参照したユーザからのコンテンツダウンロード指示をＤＬ用ＧＵＩ２３が受信する。ＤＬ用ＧＵＩ２３は、ダウンロードするコンテンツのコンテンツＵＲＬをダウンロード制御部２１に送信する。ダウンロード制御部２１を介してコンテンツＵＲＬを受信したコンテンツ受信部２４は、ＩＰネットワーク１０２を経由してサーバから該当するコンテンツをダウンロードし、蓄積コンテンツ記憶部１６に記憶させる。
【００４２】
次に、この発明の実施の形態２に係る受信機の録画処理動作について説明し、以下では、録画予約動作と録画動作に分けて説明する。
まず、録画予約動作について説明する。録画予約時に用いられ各情報について図１０から図１２を参照して説明する。図１０は、この発明の実施の形態２に係る受信機の予約ＧＵＩ１４が生成する予約一覧表の一例を示す図である。
予約一覧表は、予約番号２０１、チャンネル／ＵＲＬ２０９、録画／ＤＬコンテンツ名２１０、予約コンテンツの録画が実行される日付２０４、録画／ダウンロードの開始時刻２０５、録画／ダウンロードの終了時刻２０６、自動削除２０７、再蓄積２１１を表示する各欄で構成される。このうち自動削除２０７には、あるコンテンツを録画する前に蓄積されたコンテンツから自動削除されるコンテンツ名が表示される。再蓄積２１１には、自動削除の対象となったコンテンツの再蓄積であることを示すマークが表示される。また、録画／ダウンロードの終了時刻２０６のうちの、ダウンロード終了時刻は、平均ダウンロード速度から計算した値を用いて計算されたダウンロード完了時刻をもとに得る。
【００４３】
図１１は、この発明の実施の形態２に係る受信機のＤＬ制御部２１が取得するダウンロード情報の一例を示す図である。
ダウンロード情報は、ダウンロードコンテンツのファイルを識別する識別子であるＤＬＩＤ７０１、番組名７０２、ジャンル７０３、ＵＲＬ７０４、番組記述７０５、ダウンロード開始日時７０６、ダウンロード終了日時７０７、ファイル容量７０８を示す各欄で構成される。ダウンロードサービスの期間はダウンロード開始日時７０６からダウンロード終了日時７０７までである。なお、蓄積コンテンツの属性情報は、実施の形態１の図４と同様であるものとする。
【００４４】
図１２は、この発明の実施の形態２に係る受信機の録画予約情報記憶部１５に記憶される録画予約情報の一例を示す図である。
録画予約情報は、予約番号５０１、種別５１０、チャンネル／ＵＲＬ５１１、録画およびダウンロードコンテンツ名５１２、日付５０４、録画およびダウンロードの開始時刻５０５、録画およびダウンロードの終了時刻５０６、容量５０７、蓄積ＩＤ５０８、再蓄積５１３を示す各欄で構成される。このうち種別５１０には、コンテンツが録画予約されたものか、ダウンロード予約されたものかを識別する識別子が表示される。チャンネル／ＵＲＬ５１１には、録画予約の場合にはチャンネル、ダウンロード予約の場合にはＵＲＬが表示される。
【００４５】
また、容量５０７には、地上デジタル放送の場合には番組情報データの再生時間とビットレートから算出された値が表示され、ダウンロードコンテンツの場合にはダウンロード情報のファイル容量が表示される。さらに、再蓄積５１３には、新規に録画する場合は「０」、自動削除した蓄積コンテンツの再放送を録画する場合は「１」、自動削除した蓄積コンテンツをダウンロードする場合は「２」を表示するように管理される。この再蓄積５１３に「１」と表示されるコンテンツについては予約ＧＵＩ１４が作成する予約一覧表（図１０参照）の再蓄積２１１に再録画のマークが、「２」の場合にはＤＬマークが表示される。
【００４６】
実施の形態１と同様にユーザから録画予約が入力されると、予約制御部１３が予約された番組を保存するのに十分な容量が蓄積コンテンツ記憶部１６に存在するか否か確認する。蓄積コンテンツ記憶部１６の残容量が十分にある場合には、予約が完了する。一方、蓄積コンテンツ記憶部１６の残容量が十分でなかった場合には、予約制御部１３は、録画スケジュール生成部１７に蓄積コンテンツに対応する再放送の有無を検索すると共に、ダウンロードサービスの有無を検索し、自動削除を含めた録画スケジュールを生成するように指示する。
【００４７】
図１０に示した予約一覧表の例では、予約番号１の「ドキュメンタリ１」、予約番号２の「バラエティ１」の録画予約が行われ、その結果、予約番号１の「ドキュメンタリ１」を録画する容量は存在したが、予約番号２の「バラエティ１」を録画する容量が足りなかったものとする。蓄積コンテンツに対応する再放送があった場合の動作は実施の形態１において説明済みであるため、ここでは蓄積コンテンツに対応するダウンロードサービスがあった場合について説明する。
【００４８】
録画スケジュール生成部１７は、蓄積コンテンツ記憶部１６に記憶されている蓄積コンテンツの属性情報とＤＬ情報記憶部２２に記憶されているダウンロード情報との、番組名（３０２と７０２）およびジャンル（３０３、７０３）を比較し、一致するものが存在するか否かを検索する。番組名とジャンルが一致した場合、その番組のコンテンツ内容を示す番組記述７０５をユーザに提示し、蓄積コンテンツと同一内容の番組が存在するか入力を求める。同一内容の番組が存在する場合、蓄積コンテンツのダウンロード配信であると判断し、蓄積コンテンツを自動削除してダウンロード終了日時７０７までにダウンロードを実行する録画スケジュールを作成する。この処理を全ての蓄積コンテンツに対して実行する。
【００４９】
録画スケジュール生成部１７により作成された全ての録画スケジュールを、予約制御部１３および予約ＧＵＩ１４を経由してモニタ１０１に出力する。ユーザは、モニタ１０１に表示された録画スケジュールの中から適切な録画スケジュールを選択し、録画予約を完成させる。このユーザが選択した録画予約情報は、予約ＧＵＩ１４および予約制御部１３を経由して録画予約情報記憶部１５に記憶される。
【００５０】
図１０に示した予約一覧表の例では、蓄積コンテンツ１６に既に録画されている「ドラマ１」のダウンロードサービス終了期限が「バラエティ１」の放送後であり、さらに「ドラマ１」の容量が「バラエティ１」の容量よりも大きいものとし、「ドラマ１」が自動削除の対象となる。これらに基づいて録画スケジュール作成部１７がコンテンツ削除および録画のスケジュールを作成する。さらに、予約番号３で表示される録画予約が生成され、自動削除された「ドラマ１」のダウンロード終了日時に達した時にダウンロードが未実行だった場合には、先に録画した「バラエティ１」を削除し、自動削除された「ドラマ１」のダウンロードを自動で行う。なお、予約番号３の録画予約におけるチャンネル／ＵＲＬ欄に表示されるＵＲＬからダウンロードを実行すると予約制御部１３にダウンロード実行情報が出力され、録画予約情報記憶部１５に記憶されている録画予約情報から予約番号３が取り消される。このダウンロード実行情報に基づいた予約番号３の取り消しが行われなかった場合にはダウンロードが未実行であると判断する。
【００５１】
次に、上述した録画予約動作において、自動削除対象となるコンテンツの抽出処理を中心に図１３のフローチャートを参照して説明する。なお、上述した録画予約処理内容と同一の処理については説明を省略または簡略化し、実施の形態１に係る受信機と同一ステップには図７で使用した符号と同一の符号を付し、説明を省略または簡略化する。
ステップＳＴ２において、十分な容量がないと判定された場合には、録画スケジュール作成部１７が近日中に蓄積コンテンツ記憶部１６に既に記憶された蓄積コンテンツの再放送があるか否か判定する（ステップＳＴ３）。ステップＳＴ３において、再放送がないと判定された場合にはステップＳＴ２１の処理に進む。一方、ステップＳＴ３において、再放送があると判定された場合には、その再放送がある蓄積コンテンツを全て自動削除候補として列挙する（ステップＳＴ４）。
【００５２】
同様に録画スケジュール作成部１７が近日中に蓄積コンテンツ記憶部１６に既に記憶された蓄積コンテンツのダウンロード配信予定があるか否か判定する（ステップＳＴ２１）。ステップＳＴ２１においてダウンロード配信予定がないと判定された場合には、ステップＳＴ５の処理に進む。一方、ステップＳＴ２１においてダウンロード配信予定があると判定された場合には、そのダウンロード配信がある蓄積コンテンツを全て自動削除候補として列挙する（ステップＳＴ２２）。再放送の有無およびダウンロード配信予定の有無の検索を全ての蓄積コンテンツについて行う（ステップＳＴ５）。
【００５３】
さらに録画スケジュール生成部１７は、自動削除候補に挙げられた再放送またはダウンロート配信が予定されている蓄積コンテンツの中から、新規録画予約に必要な容量を確保できる組み合わせを作成し、これに基づき自動削除を含めた録画予約のスケジューリングを実行し（ステップＳＴ２３）、スケジューリング可能か否か判定する（ステップＳＴ７）。その後、ステップＳＴ８からＳＴ１１の処理を行い録画予約を終了する。
【００５４】
ステップＳＴ７において、スケジューリングか可能でないと判定された場合、例えば自動削除候補に挙げられた蓄積コンテンツから新規録画予約に必要な容量を確保できる組み合わせを作成することができなかった場合や、全ての蓄積コンテンツについて再放送およびダウンロード配信予定がなかった場合には、スケジューリングは行わずにステップＳＴ１１の処理に進み録画予約のみを行う。この場合には録画予約時にメッセージ、例えば「ＨＤＤの残容量が足りません。また、ＨＤＤ内に再放送予定およびダウンロード配信予定のあるコンテンツはありません。録画実施時刻までに容量を確保して下さい。」などをモニタ１０１に出力し、容量を確保するようにユーザに促す。
【００５５】
次に、この発明の実施の形態２に係る受信機の録画動作について説明する。
自動削除を伴った新規予約録画予約分の録画が行われるまでの動作は実施の形態１と同様である。録画開始前に蓄積コンテンツの自動削除を行った場合には、録画が終了した際に、予約制御部１３は予約ＧＵＩ１４を介して、自動削除の対象となったコンテンツの再放送が行われる日程またはダウンロード配信終了期限までに新規録画コンテンツを視聴するように促すメッセージをモニタ１０１に出力する。例えば、図８または図１４に示すメッセージを、受信機１の電源が投入される度に数秒間モニタ１０１に表示するように構成する。図１４は、ダウンロード配信期間内にダウンロードを行うことを促すメッセージの例であり、自動削除を行った日付８０１、自動削除された番組名８０２、ダウンロード配信終了期限８０３が表示される。
【００５６】
また、自動削除されたコンテンツのダウンロード配信期間終了時に達した時に、ダウンロードが未実行であった場合、録画スケジュール作成部１７によって生成されたスケジュールに基づき、先に録画した新規録画コンテンツを削除し、自動削除されたコンテンツのダウンロードを自動で行う。図１０に示した予約一覧表の例では、予約番号２の「バラエティ１」の蓄積コンテンツを削除し、予約番号２の録画の際に削除された「ドラマ１」を予約番号３に基づきダウンロードする。
【００５７】
以上のように、この実施の形態２では、ネットワークを介してコンテンツをダウンロードするダウンロードコンテンツ取得部２０を追加して設け、蓄積コンテンツとダウンロード配信予定を比較し、蓄積コンテンツの中からダウンロード配信予定のあるコンテンツを検索する録画スケジュール生成部１７を設けるように構成したので、新規に録画を希望する番組の放送前に蓄積コンテンツを自動削除し、ダウンロード配信期間内に自動削除したコンテンツをダウンロードするスケジュールを生成することができ、記憶部の記憶残容量が十分でない場合にもユーザの希望するコンテンツの録画を行うことが可能になる。
【００５８】
また、この実施の形態２では、録画スケジュール生成部１７が蓄積コンテンツの中から再放送予定のあるコンテンツを検索すると共に、ダウンロード配信予定のあるコンテンツも検索するように構成したので、よりユーザの希望に沿った録画予約を実行することができる。
【００５９】
また、この実施の形態２では、自動削除したコンテンツをダウンロード配信期間内にダウンロードすることを促すメッセージを表示するように構成したので、自動削除したコンテンツの再蓄積を確実に実行することができる。
【００６０】
なお、上述した実施の形態２では、暗号化されていないコンテンツをダウンロードする構成を示したが、暗号化されたコンテンツをダウンロードすることも可能である。
【００６１】
実施の形態３．
図１５は、この発明の実施の形態３に係る受信機の構成を示すブロック図である。この受信機１は、図１に示した受信機１にＶＯＤ（Ｖｉｄｅｏ  Ｏｎ  Ｄｅｍａｎｄ）受信部３０を追加して構成している。以下では、実施の形態１に係る受信機１の構成要素と同一または相当する部分には、実施の形態１で使用した符号と同一の符号を付して説明を省略または簡略化する。
【００６２】
受信機１は、ＩＰネットワーク１０２を経由してＶＯＤコンテンツを受信するＶＯＤ受信部３０を備える。ＶＯＤ受信部３０は、ＶＯＤ用ＧＵＩ３１、ＶＯＤ制御部３２、ＲＴＰ（（Ｒｅａｌ−ｔｉｍｅ  Ｔｒａｎｓｐｏｒｔ  Ｐｒｏｔｏｃｏｌ）受信部３３、ＶＯＤ情報記憶部３４で構成されている。なお、以下では、ＶＯＤ制御用プロトコルにＲＦＣ２３２６に規定されているＲＴＳＰ（Ｒｅａｌ  Ｔｉｍｅ  Ｓｔｒｅａｍｉｎｇ  Ｐｒｏｔｏｃｏｌ）、ストリーミングプロトコルにＲＦＣ３５５０に規定されているＲＴＰを使用し、ＲＴＰパケット内にはＲＦＣ２２５０に記載されている方法でＭＰＥＧ−２ＴＳがＲＴＰパケットのペイロードに格納されているものとする。
【００６３】
ＶＯＤ受信部３０は、ＩＰネットワーク１０２を経由してＶＯＤ情報とＶＯＤコンテンツを受信する。ＶＯＤ情報とはＶＯＤ配信予定などの情報であり、ＶＯＤコンテンツは視聴用のコンテンツそのものである。ＶＯＤ用ＧＵＩ３１は、ＩＰネットワーク１０２を経由して、定期的にサーバ（図示せず）からＶＯＤコンテンツの一覧を受信する。この一覧は、例えばＨＴＭＬデータの形式でＶＯＤ用ＧＵＩ３１上に表示する。また、ユーザ入力により選択されたＶＯＤコンテンツのＵＲＬをＶＯＤ制御部３２に出力する。ＶＯＤ制御部３２は、ＶＯＤ用ＧＵＩ３１から受信したＵＲＬに記載されたサーバからＶＯＤコンテンツの属性情報およびＲＴＰ受信情報を取得する。受信したＲＴＰ受信情報をＲＴＰ受信部３３に出力する。ＲＴＰ受信部３３は、サーバからＲＴＰパケットを受信し、ＴＳパケットをメディア分離部８に出力する。ＶＯＤ情報記憶部３４は、ＶＯＤ用ＧＵＩ３１から入力されるＶＯＤコンテンツ一覧データをＶＯＤ情報として記憶する。
【００６４】
ＶＯＤ用ＧＵＩ３１は、ＩＰネットワーク１０２を経由して、定期的にサーバからＶＯＤコンテンツの一覧を受信し、受信したコンテンツ一覧データはＶＯＤ情報記憶部３４に出力され、ＶＯＤ情報として記憶される。また、ＶＯＤ用ＧＵＩ３１上に表示されたＶＯＤコンテンツ一覧データからユーザがコンテンツを選択すると、その選択されたＶＯＤコンテンツのＵＲＬをＶＯＤ制御部３２に出力する。ＶＯＤ制御部３２は、そのＵＲＬに記載されたサーバに対して、ＲＴＳＰを使用してＤＥＳＣＲＩＢＥコマンドを送信してサーバからＶＯＤコンテンツの属性情報を取得し、さらにサーバに対してＳＥＴＵＰコマンドを送信してサーバからＲＴＰ受信を行うために必要なデータ（例えば、ポート番号など）であるＲＴＰ受信情報を取得する。受信したＲＴＰ受信情報はＲＴＰ受信部３３に出力される。
【００６５】
ＲＴＰ受信部３３は、受信したＲＴＰ受信情報に基づき該当ポートを開き、サーバからＲＴＰパケットの受信を開始する。ＶＯＤ制御部３２は、サーバに対してＲＴＳＰを利用してＰＬＡＹコマンドを送信すると、サーバからＲＴＳパケットが送信される。ＲＴＰ受信部３３は受信したＲＴＳパケットからＲＴＰヘッダを分離し、一定のバッファリングによりネットワークジッタを吸収した後、ＲＴＰパケットのタイムスタンプの時間に従い、メディア分離部８にＴＳパケットを入力する。
【００６６】
次に、この発明の実施の形態３に係る受信機の録画処理動作について説明し、以下では、録画予約動作と録画動作に分けて説明する。
まず、録画予約動作について説明する。録画予約時に用いられる各情報について図１６および図１７を参照して説明する。図１６は、この発明の実施の形態３に係る受信機の予約ＧＵＩ１４が生成する予約一覧表の一例を示す図である。
予約一覧表は、実施の形態１と同一の項目である、予約番号２０１、チャンネル２０２、録画コンテンツ名２０３、予約コンテンツの録画が実行される日付２０４、録画の開始時刻２０５、録画の終了時刻２０６、自動削除２０７、再録画２０８を示す各欄で構成される。
【００６７】
図１７は、この実施の形態３に係る受信機のＶＯＤ情報記憶部３４が記憶するＶＯＤ情報の一例を示す図である。
ＶＯＤ情報は、ＶＯＤコンテンツのファイルを識別する識別子であるＶＯＤＩＤ９０１、番組名９０２、ジャンル９０３、ＵＲＬ９０４、番組記述９０５、ＶＯＤ開始日時９０６、ＶＯＤ終了日時９０７を示す各欄で構成される。なお、蓄積コンテンツの属性情報は、実施の形態１の図４と同様であるものとする。
【００６８】
実施の形態１と同様にユーザから録画予約が入力されると、予約制御部１３が予約された番組を保存するのに十分な容量が蓄積コンテンツ記憶部１６に存在するか否か確認する。蓄積コンテンツ記憶部１６の残容量が十分にある場合には、予約が完了する。一方、蓄積コンテンツ記憶部１６の残容量が十分でなかった場合には、予約制御部１３は、録画スケジュール生成部１７に蓄積コンテンツに対応する再放送の有無を検索すると共に、ＶＯＤ配信サービスの有無を検索し、自動削除を含めた録画スケジュールを生成するように指示する。
【００６９】
図１６に示した予約一覧表の例では、予約番号１の「ドキュメンタリ１」、予約番号２の「バラエティ１」の録画予約が行われ、その結果、予約番号１の「ドキュメンタリ１」を録画する容量は存在したが、予約番号２の「バラエティ１」を録画する容量が足りなかったものとする。蓄積コンテンツに対応する再放送があった場合の動作は実施の形態１において説明済みであるため、ここでは蓄積コンテンツに対応するＶＯＤ配信サービスがあった場合について説明する。
【００７０】
録画スケジュール生成部１７は、蓄積コンテンツ記憶部１６に記憶されている蓄積コンテンツの属性情報とＶＯＤ情報記憶部３４に記憶されているＶＯＤ情報との、番組名（３０２と９０２）およびジャンル（３０３と９０３）を比較し、一致するものが存在するか否かを検索する。番組名とジャンルが一致した場合、その番組のコンテンツ内容を示す番組記述９０５をユーザに提示し、蓄積コンテンツと同一内容の番組が存在するか入力を求める。同一内容の番組が存在する場合、蓄積コンテンツのＶＯＤ配信であると判断し、蓄積コンテンツを自動削除してＶＯＤ終了日時９０７までに視聴することを考慮した録画スケジュールを作成する。この処理を全ての蓄積コンテンツに対して実行する。
【００７１】
録画スケジュール生成部１７により作成された全ての録画スケジュールを、予約制御部１３および予約ＧＵＩ１４を経由してモニタ１０１に出力する。モニタ１０１に表示されたスケジュールの中から適切な録画スケジュールを選択し、録画予約を完成させる。このユーザが選択した録画予約情報は、予約ＧＵＩ１４および予約制御部１３を経由して録画予約情報記憶部１５に記憶される。
【００７２】
図１６および図１７の例では、蓄積コンテンツ１６に既に録画されている「ドラマ１」のＶＯＤ視聴期限が「バラエティ１」の放送後であり、さらに「ドラマ１」の容量が「バラエティ１」の容量よりも大きいものとし、「ドラマ１」が自動削除の対象となる。これらに基づいて録画スケジュール作成部１７がコンテンツ削除および録画のスケジュールを作成する。
【００７３】
次に、上述した録画予約動作において、自動削除対象となるコンテンツの抽出処理を中心に図１８のフローチャートを参照して説明する。なお、上述した録画予約処理内容と同一の処理については説明を省略または簡略化し、実施の形態１に係る受信機と同一ステップには図７で使用した符号と同一の符号を付し、説明を省略または簡略化する。
ステップＳＴ２において、十分な容量がないと判定された場合には、録画スケジュール作成部１７が近日中に蓄積コンテンツ記憶部１６に既に記憶された蓄積コンテンツの再放送があるか否か判定する（ステップＳＴ３）。ステップＳＴ３において、再放送がないと判定された場合にはステップＳＴ３１の処理に進む。一方、ステップＳＴ３において、再放送があると判定された場合には、その再放送がある蓄積コンテンツを全て自動削除候補として列挙する（ステップＳＴ４）。
【００７４】
同様に録画スケジュール作成部１７が近日中に蓄積コンテンツ記憶部１６に記憶された蓄積コンテンツのＶＯＤ配信予定があるか否か判定する（ステップＳＴ３１）。ステップＳＴ３１においてＶＯＤ配信予定がないと判定された場合には、ステップＳＴ５の処理に進む。一方、ステップＳＴ３１においてＶＯＤ配信予定があると判定された場合には、そのＶＯＤ配信がある蓄積コンテンツを全て自動削除候補として列挙する（ステップＳＴ３３２）。再放送の有無およびＶＯＤ配信予定の有無の検索を全ての蓄積コンテンツについて行う（ステップＳＴ５）。
【００７５】
さらに録画スケジュール生成部１７は、自動削除候補に挙げられた再放送またはＶＯＤ再配信が予定されている蓄積コンテンツの中から、新規録画予約に必要な容量を確保できる組み合わせを作成し、これに基づき自動削除を含めた録画予約のスケジューリングを実行し（ステップＳＴ３３）、スケジューリング可能か否か判定する（ステップＳＴ７）。その後、ステップＳＴ８からＳＴ１１の処理を行い録画予約を終了する。
【００７６】
ステップＳＴ７において、スケジューリングか可能でないと判定された場合、例えば自動削除候補に挙げられた蓄積コンテンツから新規録画予約に必要な容量を確保できる組み合わせを作成することができなかった場合や、全ての蓄積コンテンツについて再放送またはＶＯＤ配信予定がなかった場合には、スケジューリングは行わずにステップＳＴ１１の処理に進み録画予約のみを行う。この場合には録画予約時にメッセージ、例えば「ＨＤＤの残容量が足りません。また、ＨＤＤ内に再放送予定およびＶＯＤ配信予定のあるコンテンツはありません。録画実施時刻までに容量を確保して下さい。」などをモニタ１０１に出力し、容量を確保するようにユーザに促す。
【００７７】
次に、この発明の実施の形態３に係る受信機の録画動作について説明する。
自動削除を伴った新規予約録画予約分の録画が行われるまでの動作は実施の形態１と同様である。録画開始前に蓄積コンテンツの自動削除を行った場合には、予約制御部１３が予約ＧＵＩ１４を介して、自動削除の対象となったコンテンツの再放送が行われる日程またはＶＯＤ配信期限の日程をモニタ１０１に出力する。図１９は、ＶＯＤ配信期間内にコンテンツを視聴することを促すメッセージの例であり、自動削除を行った日付１００１、自動削除された番組名１００２、ＶＯＤ視聴期限１００３が表示される。
【００７８】
以上のように、この実施の形態３によれば、ネットワークを介してコンテンツを受信するＶＯＤ受信部３０を追加して設け、蓄積コンテンツとＶＯＤ配信予定を比較し、蓄積コンテンツの中からＶＯＤ配信予定のあるコンテンツを検索する録画スケジュール生成部１７を設けるように構成したので、新規に録画を希望する番組の放送前に蓄積コンテンツを自動削除し、ＶＯＤ配信期間内に自動削除したコンテンツを視聴することができ、記憶部の記憶残容量が十分でない場合にもユーザの希望するコンテンツの録画を行うことが可能になる。
【００７９】
また、この実施の形態３では、録画スケジュール生成部１７が蓄積コンテンツの中から再放送予定のあるコンテンツを検索すると共に、ＶＯＤ配信予定のあるコンテンツも検索するように構成したので、よりユーザの希望に沿った録画予約を実行することができる。
【００８０】
また、この実施の形態３では、自動削除したコンテンツをＶＯＤ配信期間内に視聴することを促すメッセージを表示するように構成したので、自動削除したコンテンツの視聴し忘れを防止することができる。
【００８１】
なお、上述した実施の形態３では暗号化されていないＶＯＤコンテンツを扱う例を示したが、暗号化されたＶＯＤコンテンツを用いた場合にも同様に処理することが可能である。
【図面の簡単な説明】
【００８２】
【図１】この発明の実施の形態１に係る受信機の構成を示すブロック図である。
【図２】この発明の実施の形態１に係る受信機のコンテンツ再生部の構成を示すブロック図である。
【図３】この発明の実施の形態１に係る受信機の予約一覧表を示す図である。
【図４】この発明の実施の形態１に係る受信機の属性情報を示す図である。
【図５】この発明の実施の形態１に係る受信機の番組情報を示す図である。
【図６】この発明の実施の形態１に係る受信機の録画予約情報を示す図である。
【図７】この発明の実施の形態１に係る受信機の動作を示すフローチャートである。
【図８】この発明の実施の形態１に係る受信機の表示メッセージを示す図である。
【図９】この発明の実施の形態２に係る受信機の構成を示すブロック図である。
【図１０】この発明の実施の形態２に係る受信機の予約一覧表を示す図である。
【図１１】この発明の実施の形態２に係る受信機のダウンロード情報を示す図である。
【図１２】この発明の実施の形態２に係る受信機の録画予約情報を示す図である。
【図１３】この発明の実施の形態２に係る受信機の動作を示すフローチャートである。
【図１４】この発明の実施の形態２に係る受信機の表示メッセージを示す図である。
【図１５】この発明の実施の形態３に係る受信機の構成を示すブロック図である。
【図１６】この発明の実施の形態３に係る受信機の予約一覧表を示す図である。
【図１７】この発明の実施の形態３に係る受信機のＶＯＤ情報を示す図である。
【図１８】この発明の実施の形態３に係る受信機の動作を示すフローチャートである。
【図１９】この発明の実施の形態３に係る受信機の表示メッセージを示す図である。
【符号の説明】
【００８３】
１  受信機、２  アンテナ、３  チューナ部、４  ＡＤ変換部、５  復調部、６  誤り訂正処理部、７  暗号復号部、８  メディア分離部、９  コンテンツ再生部、１０  番組情報取得部、１１  番組情報データ記憶部、１２  録画部、１３  予約制御部、１４  予約ＧＵＩ、１５  録画予約情報記憶部、１６  蓄積コンテンツ記憶部、１７  録画スケジュール生成部、１８  データ蓄積部、１９  データ読込部、２０  ダウンロードコンテンツ取得部、２１  ＤＬ制御部、２２  ＤＬ情報記憶部、２３  ＤＬ用ＧＵＩ、２４  コンテンツ受信部、３０  ＶＯＤ受信部、３１  ＶＯＤ用ＧＵＩ、３２  ＶＯＤ制御部、３３  ＲＴＰ受信部、３４  ＶＯＤ情報記憶部、９１  音声復号化部、９２  音声出力部、９３  映像復号化部、９４  映像表示部、１００  スピーカ、１０１  モニタ、１０２  ＩＰネットワーク。
【図１】
2009260486.tif 000003
【図２】
2009260486.tif 000004
【図３】
2009260486.tif 000005
【図４】
2009260486.tif 000006
【図５】
2009260486.tif 000007
【図６】
2009260486.tif 000008
【図７】
2009260486.tif 000009
【図８】
2009260486.tif 000010
【図９】
2009260486.tif 000011
【図１０】
2009260486.tif 000012
【図１１】
2009260486.tif 000013
【図１２】
2009260486.tif 000014
【図１３】
2009260486.tif 000015
【図１４】
2009260486.tif 000016
【図１５】
2009260486.tif 000017
【図１６】
2009260486.tif 000018
【図１７】
2009260486.tif 000019
【図１８】
2009260486.tif 000020
【図１９】
2009260486.tif 000021